【事件の表示】
　平成　５年特許願第　１４１７４号「磁気ヘッド機構の取付方法及び磁気テープ再生装置の製造方法」拒絶査定に対する審判事件〔平成　６年　８月１２日出願公開、特開平　６−２２３３４０、、請求項の数（２）〕について、次のとおり審決する。
【結　論】
　原査定を取り消す。
　本願の発明は、特許すべきものとする。
【理　由】
１　経緯
特許出願　　　　　　　　　　　　　　　　平成  ５年　１月２９日
手続補正１　　　　　　　　　　　　　　　平成１２年　１月３１日
拒絶理由通知１　　　　　　　　　　　　　平成１３年  １月１０日
意見書・手続補正２　　　　　　　　　　　平成１３年　３月１９日
拒絶理由通知２　　　　　　　　　　　　　平成１３年  ４月　９日
意見書・手続補正３　　　　　　　　　　　平成１３年　６月１８日
拒絶査定　　　　　　　　　　　　　　　　平成１３年　８月　１日
審判請求・手続補正４　　　　　　　　　　平成１３年１０月　９日
手続補正（方式）　　　　　　　　　　　　平成１３年１２月２０日
前置報告　　　　　　　　　　　　　　　　平成１４年　１月３１日
　
２　本願発明
　上記出願明細書及び手続補正１〜４で補正された明細書から見て、本件の特許請求の範囲請求項１、２に係る発明は、手続補正４の特許請求の範囲請求項１，２に記載された、次のとおりである。
「【請求項１】　テープカセットが保持されるホルダーに、磁気ヘッドが固定されるレバーが移動可能に設けられる磁気ヘッド機構の取付方法において、
　両端に係止部を有する対称形状のねじりコイルばねよりなるヘッド戻しばねのコイル部を上記ホルダーに回動自在にビス止めし、
　上記レバーを上記ホルダーの支軸に回動自在に取り付け、
　上記ホルダーに回動自在に設けられるヘッド戻しばねを上記ビスを支点として回転させてその一端のフック状係止部を上記ホルダーのばね掛け部に係合し、他端のフック状係止部を上記ホルダーに取り付けられた上記レバーのばね当接部に当接させることにより、
　上記レバーは、上記ヘッド戻しばねにより上記磁気ヘッドの引込方向に偏倚されることを特徴とする磁気ヘッド機構の取付方法。
【請求項２】　テープカセットが保持されるホルダーに、磁気ヘッドが固定されるレバーが移動可能に設けられる磁気ヘッド機構を有し、上記ホルダーに装着されるテープカセットに記録されている情報を上記磁気ヘッドにより読出し再生する磁気テープ再生装置の製造方法において、
　両端に係止部を有する対称形状のねじりコイルばねよりなるヘッド戻しばねのコイル部を上記ホルダーに回動自在にビス止めし、
　上記レバーを上記ホルダーの支軸に回動自在に取り付け、
　上記ホルダーに回動自在に設けられるヘッド戻しばねを上記ビスを支点として回転させてその一端のフック状係止部を上記ホルダーのばね掛け部に係合し、他端のフック状係止部を上記ホルダーに取り付けられた上記レバーのばね当接部に当接させることにより、
　上記レバーは、上記ヘッド戻しばねにより上記磁気ヘッドの引込方向に偏倚されることを特徴とする磁気テープ再生装置の製造方法。」
　
３　引用例記載の発明
　拒絶の理由に引用された、引用文献１「特開平４−１６２２０８号公報」は、シャーシに回動自在に取り付けられたねじりコイルばねによってピンチローラーレバーを偏倚させる機構に関する。
　実施例に関し、その第３頁左上欄第１６行〜右上欄第１３行に、「ヘッドレバー１上には、キャプスタン５に対して、右側にフォワードヘッド７が設けられている。フォワードヘッド７はヘッドレバー１上に支持部材４を介してねじ６，８で止められている。また、キャプスタン５に対して、左側にはリバースヘッド９が設けられている。リバースヘッド９もヘッドレバー１上に支持部材４を介してねじ６，８で止められている。一方のねじ８は、フォワード及びリバースヘッド７、９のアジマス調整に用いられる。更に、ヘッドレバー１には、キャプスタン５に対して右側端に第１の端部１１が設けられている。また、キャプスタン５に対して左側端に第２の端部１３が設けられている。
　第１の端部１１には、トグルバネ３３を備えたフォワード側駆動機構１５が連結されている。また、第２の端部１３にも、同様のトグルバネ３３を備えたリバース側駆動機構１７が連結されている。」と記載され、
　同頁左下欄第２行〜第９行には、
「　磁気テープのフォワード走行時（第３図の矢印Ｆで示す方向）においては、フォワード側駆動機構１５によって、第１の端部１１が走行経路３に接近される。フォワード走行時にはリバース側駆動機構１７は作動しない。従って、ヘッドレバー１は第２の端部１３を中心に矢印Ａ方向に回転して、第３図に示すようにフォワードヘッド７を走行経路３を走行する磁気テープに接触させる。」と記載され、
　第４頁右上欄第６行〜第１４行には、
「　フォワード側駆動機構１５は、第１の端部１１に設けられたピン３５を備えている。ピン３５は第１の端部１１から固定ベース２に形成された案内溝４０貫通して下方に延出している。第１の端部１１の近傍の固定ベース２の下方には連動レバー３７が設けられている。連動レバー３７は、フォワード側軸部材２６の下部に形成されたスプリングポスト部３９に回転自在に装着されている。そして、ピン３５とスプリングポスト部３９とはトグルバネ３３を介して連結されている。」と記載されている。
　また同じく引用文献２「特開昭６０−１２５９１３号公報」には、回動するレバーに磁気ヘッドが固定された周知の磁気ヘッド移動装置が開示されている。
　第２頁右上欄第１行〜第１７行に、
「　第１図において、９はＶ字型のキャツチャであり、ローデイング完了をした後述の移動ベース２を固定するもので、シャーシにピン１０により固定されている。Ｖ字型キャツチャ９の一方の端部に軸７が植立されており、この軸７には全幅消去用ヘッド、音声記録再生用、或いはＣＴＬ乃至キユー信号記録再生用に用いられるヘッド５を有するヘッドベース６が回動自在に軸支されている。ヘッドベース６の一方の端部に設けられた係止片６１とＶ字型キャツチャ９を固定するピン１０との間に、軸７に巻かれたばね８が係止され、ヘッドベース６を反時計方向に付勢している。なお、ヘッドベース６の他方の端部に延伸された係止片６２と不図示のシヤーシに植立されているピン１１との係合により行ない、そしてこのときヘッド５を規定位置にセットする。」と記載されている。
　
４　本願発明と引用例との対比
　本願の請求項１に係る発明と引用例１とは、ねじりコイルばねによって磁気ヘッドを偏倚させる構成では一致するが、引用例１には、ホルダーに回動自在に設けられるヘッド戻しばねをビスを支点として回転させてその一端のフック状係止部をホルダーのばね掛け部に係合し、他端のフック状係止部をレバーのばね当接部に当接させる構成は示されておらず、この構成により、対称形状のヘッド戻しばねをホルダーとレバーの間に容易かつ確実に取付けることができるという効果を奏する。
　また、引用例２には、ヘッド５を有するヘッドベース６は、軸７に植立されているが、ばね８は軸７に巻かれており、ばねの取付方が上記本願の発明と異なっている。
　従って、請求項１に係る発明が、上記引用例１，２記載の発明から容易に発明をすることができたものとはいえない。
　請求項２に係る発明についても、同様である。
　
　前置報告で指摘された刊行物（１．実公平２−１６４５８号公報、２．特開平４−１３７２９２号公報）は、いずれもデイスクカセツトないしテープカセツトに用いられるばねが示されているのみで、ヘッドを有するレバーを偏倚するものではない。
　
５　まとめ
　従って、本件の請求項１，２に係る発明は、上記いずれの刊行物（引用例）に記載された発明と同一でもなく、また記載された発明から容易に発明をすることができたものでもない。
　またその他拒絶の理由を発見しない。
　よって上記結論のとおり審決する。